(57)【要約】【課題】容易に組み立てられ、かつ倒壊しにくいフェンスを提供する。【解決手段】フェンス１０は、支柱１２Ｂ，１２Ｃ，１２Ｄ，１２Ｅ，１２Ｆと、第一パネル１４と、第二パネル１８を有する。第一パネル１４は、第一本体部１４Ａと、第一保持部１４Ｐ，１４Ｑ，１４Ｒ，１４Ｓを備えている。第一本体部１４Ａは、支柱１２Ｂ〜１２Ｆの前方に設けられている。第一保持部１４Ｐ〜１４Ｓは、第一本体部１４Ａの後方に設けられており、支柱１２Ｂ〜１２Ｅの右側面にそれぞれ装着されている。第二パネル１８は、第二本体部１８Ａと、第二保持部１８Ｐ，１８Ｑ，１８Ｒ，１８Ｓを備えている。第二本体部１８Ａは、支柱１２Ｂ〜１２Ｆの後方に設けられている。第二保持部１８Ｐ〜１８Ｓは、第二本体部１８Ａの前方に設けられており、支柱１２Ｃ〜１２Ｆの左側面にそれぞれ装着されている。【選択図】図２
2020029648.tif 000002
【特許請求の範囲】
【請求項１】
複数の支柱と、
前記複数の支柱の前方に設けられた第一本体部と、前記第一本体部の後方に設けられ、前記複数の支柱の側面の左側と右側の一方にそれぞれ装着された複数の第一保持部とを備える第一パネルと、
前記複数の支柱の後方に設けられた第二本体部と、前記第二本体部の前方に設けられ、前記複数の支柱の側面の左側と右側の他方にそれぞれ装着された複数の第二保持部とを備える第二パネルと、
を有するフェンス。
【請求項２】
請求項１において、
前記第一保持部および前記第二保持部が、前記複数の支柱の側面に対応する凹部を備えるフェンス。
【請求項３】
請求項１または２において、
前記第一保持部および前記第二保持部が、前記複数の支柱の側面を周方向に囲む部分を備えるフェンス。
【請求項４】
請求項１から３のいずれかにおいて、
前記複数の支柱の側面が円筒の側面形状を備えるフェンス。
【請求項５】
請求項１から４のいずれかにおいて、
前記第一保持部と前記第二保持部の片方のみが側面に装着された端支柱と、
前記第一本体部の端面と、前記第二本体部の端面と、前記端支柱の側面のうち、前記第一保持部および前記第二保持部が装着されていない部分の少なくとも一部とを覆う端部カバーと、
をさらに有するフェンス。
【請求項６】
請求項１から５のいずれかにおいて、
前記複数の支柱の下部がそれぞれ装着される複数の支柱台と、上下方向に隙間が形成されるように前記複数の支柱台を前後で挟む４枚以上の板状部材とを備える基礎ユニットをさらに有するフェンス。
【請求項７】
請求項１から６のいずれかにおいて、
前記第一本体部および第二本体部が発泡樹脂製であるフェンス。
【発明の詳細な説明】
【技術分野】
【０００１】
本発明は、容易に組み立てられ、かつ倒壊しにくいフェンスに関するものである。
【背景技術】
【０００２】
コンクリートブロックから作製されたフェンスがよく知られている。このフェンスは、鉛直方向にあらかじめ設けられた鉄筋の上方にブロックを持ち上げてから、この鉄筋がブロックの穴を通るようにブロックを降ろし、これを繰り返して複数のブロックを下から積み上げて作製する。しかしながら、コンクリートブロックが重いので、鉛直方向の鉄筋の上方にブロックを移動するのは大変である。
【発明の概要】
【発明が解決しようとする課題】
【０００３】
本発明はこのような事情に鑑みてなされたものであり、容易に組み立てられ、かつ倒壊しにくいフェンスを提供することを目的とする。
【課題を解決するための手段】
【０００４】
本発明のフェンスは、複数の支柱と、複数の支柱の前方に設けられた第一本体部と、第一本体部の後方に設けられ、複数の支柱の側面の左側と右側の一方にそれぞれ装着された複数の第一保持部とを備える第一パネルと、複数の支柱の後方に設けられた第二本体部と、第二本体部の前方に設けられ、複数の支柱の側面の左側と右側の他方にそれぞれ装着された複数の第二保持部とを備える第二パネルとを有する。
【発明の効果】
【０００５】
本発明のフェンスは、前後のパネルが支柱の側面の左右からそれぞれ装着されているので、容易に組み立てられ、かつ倒壊しにくい。
【図面の簡単な説明】
【０００６】
【図１】第一実施形態のフェンスの前面図。
【図２】図１のフェンスの矢示断面図。
【図３】実施形態のフェンスの作製過程を説明するための斜視図。
【図４】実施形態のフェンスの作製過程を説明するための上面図と斜視図。
【図５】実施形態のフェンスの作製過程を説明するための上面図と斜視図。
【図６】実施形態のフェンスの作製過程を説明するための斜視図。
【図７】第二実施形態のフェンスの水平断面拡大図。
【図８】第三実施形態のフェンスの水平断面拡大図。
【発明を実施するための形態】
【０００７】
以下、本発明のフェンスについて、図面を参照しながら実施形態に基づいて説明する。図面は、フェンス、フェンスの構成部材、およびフェンスの周辺部材を模式的に表したものであり、これらの実物の寸法および寸法比は、図面上の寸法および寸法比と必ずしも一致しない。なお、重複説明は適宜省略し、同一部材には同一符号を付与することがある。また、特にことわらない限り、説明の便宜上、図１に示すフェンスの向きを基準に、前後、上下、および左右を規定する。
【０００８】
図１は、本発明の第一実施形態に係るフェンス１０を示している。図２は、図１のフェンス１０の矢示断面を示している。フェンス１０は、複数の支柱１２Ａ，１２Ｂ，１２Ｃ，１２Ｄ，１２Ｅ，１２Ｆ，１２Ｇ，１２Ｈ，１２Ｊ，１２Ｋ，１２Ｌ（以下、「支柱１２Ａ〜１２Ｌ」と記載することがある）と、端支柱１２Ｍ，１２Ｎと、第一パネル１４，１６と、第二パネル１８，２０と、端部カバー２２，２４と、上部カバー２６と、基礎ユニット２８を備えている。なお、支柱、端支柱、第一パネル、第二パネル、端部カバー、および上部カバーの数量は特に制限がない。
【０００９】
支柱１２Ａ〜１２Ｌと端支柱１２Ｍ，１２Ｎは、円筒形状を備える金属製の部材である。すなわち、支柱１２Ａ〜１２Ｌと端支柱１２Ｍ，１２Ｎの側面は、円筒の側面形状を備えている。円筒の側面形状を備える支柱の形状は、円柱であってもよい。また、支柱１２Ａ〜１２Ｌと端支柱１２Ｍ，１２Ｎの形状は、角柱または後述する中空角柱などであってもよい。
【００１０】
第一パネル１４は、第一本体部１４Ａと、複数の第一保持部１４Ｐ，１４Ｑ，１４Ｒ，１４Ｓ（以下、「第一保持部１４Ｐ〜１４Ｓ」と記載することがある）を備えている。第一本体部１４Ａは、支柱１２Ａ〜１２Ｌのうちの五本の前方に設けられている。第一本体部１４Ａは、長方形の板形状を備える発泡樹脂製の部材である。第一本体部１４Ａが発泡樹脂製であるため、第一パネル１４が高く積み上げられてもフェンス１０が重くならず、地震等によるフェンス１０の倒壊を抑えられる。なお、第一本体部１４Ａの前面には、防水塗装や石貼りを施してもよいし、タイルを貼ってもよい。
【００１１】
第一保持部１４Ｐ〜１４Ｓは、第一本体部１４Ａの後方に設けられている。本実施形態では、第一保持部１４Ｐ〜１４Ｓが第一本体部１４Ａの後面に接着されている。第一保持部１４Ｐ〜１４Ｓは、直方体の側面を半円柱状に切り欠いた形状を備える樹脂製の部材である。すなわち、第一保持部１４Ｐ〜１４Ｓは、支柱１２Ａ〜１２Ｌの側面に対応する凹部１４Ｐｃ，１４Ｑｃ，１４Ｒｃ，１４Ｓｃ（以下、「１４Ｐｃ〜１４Ｓｃ」と記載することがある）を備えている。第一保持部１４Ｐ〜１４Ｓは、支柱１２Ａ〜１２Ｌの側面の右側である右側面にそれぞれ装着されている。
【００１２】
第一パネル１６は、第一本体部１６Ａと、複数の第一保持部１６Ｐ，１６Ｑを備えている。第一本体部１６Ａの幅と第一保持部１６Ｐ，１６Ｑの数量が、第一本体部１４Ａの幅と第一保持部１４Ｐ〜１４Ｓの数量のそれぞれ半分である点を除き、第一パネル１６は、第一パネル１４と同様の構成をしている。図１に示すように、フェンス１０では、上下方向の一段置きで、両端に第一パネル１６が配置されている。つまり、フェンス１０の前面の中央では、第一パネル１４が交互に配置されている。このため、フェンス１０の美観に優れるとともに、第一パネル１４の左右の境界が上下方向に直線的にならず、フェンス１０の強度が向上する。本実施形態では、フェンス１０が二種類の第一パネル１４，１６を備えているが、第一パネルは一種類であってもよい。
【００１３】
第二パネル１８は、第二本体部１８Ａと、複数の第二保持部１８Ｐ，１８Ｑ，１８Ｒ，１８Ｓ（以下、「第二保持部１８Ｐ〜１８Ｓ」と記載することがある）を備えている。第二本体部１８Ａは、支柱１２Ａ〜１２Ｌのうちの五本の後方に設けられている。第二本体部１８Ａも、長方形の板形状を備える発泡樹脂製の部材である。ただし、図２に示すように、第二本体部１８Ａの形状は、第一本体部１４Ａの形状と少しだけ異なっている。なお、フェンス１０が組み立てられるのであれば、第一本体部１４Ａと第二本体部１８Ａの形状は特に制限がない。
【００１４】
第二保持部１８Ｐ〜１８Ｓは、第二本体部１８Ａの前方に設けられている。本実施形態では、第二保持部１８Ｐ〜１８Ｓが第二本体部１８Ａの前面に接着されている。第二保持部１８Ｐ〜１８Ｓは、第一保持部１４Ｐ〜１４Ｓと同じ形状を備える樹脂製の部材である。すなわち、第二保持部１８Ｐ〜１８Ｓも、支柱１２Ａ〜１２Ｌの側面に対応する凹部１８Ｐｃ，１８Ｑｃ，１８Ｒｃ，１８Ｓｃ（以下、「凹部１８Ｐｃ〜１８Ｓｃ」と記載することがある）を備えている。第二保持部１８Ｐ〜１８Ｓは、支柱１２Ａ〜１２Ｌの側面の左側である左側面にそれぞれ装着されている。
【００１５】
第二パネル２０は、第二本体部２０Ａと、複数の第二保持部２０Ｐ，２０Ｑを備えている。第二本体部２０Ａの幅と第二保持部２０Ｐ，２０Ｑの数量が、第二本体部１８Ａの幅と第二保持部１８Ｐ〜１８Ｓの数量のそれぞれ半分である点を除き、第二パネル２０は、第二パネル１８と同様の構成をしている。フェンス１０の後面では、前面の第一パネル１６の配置と同様に、上下方向の一段置きで、両端に第二パネル２０が配置されている（不図示）。また、フェンス１０の前面の中央の第一パネル１４の配置と同様に、フェンス１０の後面の中央では、第二パネル１８が交互に配置されている（不図示）。
【００１６】
なお、フェンス１０が組み立てられるのであれば、第一本体部１８Ａと第二本体部２０Ａの形状は特に制限がない。また、第一パネル１４と第二パネル１８および第一パネル１６と第二パネル２０は、フェンス１０の前後で同じ位置に設けられている必要はない。さらに、本実施形態では、フェンス１０が二種類の第二パネル１８，２０を備えているが、第二パネルは一種類であってもよい。
【００１７】
本実施形態では、第一保持部１４Ｐ〜１４Ｓ，１６Ｐ，１６Ｑと、これらと対になって支柱１２Ａ〜１２Ｌにそれぞれ装着される第二保持部１８Ｐ〜１８Ｓ，２０Ｐ，２０Ｑが、支柱１２Ａ〜１２Ｌの側面を周方向に囲む部分を備えている。すなわち、支柱１２Ａ〜１２Ｌの側面の上下方向の一部を、対になっている第一保持部１４Ｐ〜１４Ｓ，１６Ｐ，１６Ｑと第二保持部１８Ｐ〜１８Ｓ，２０Ｐ，２０Ｑで覆っている。
【００１８】
換言すると、例えば凹部１４Ｑｃと凹部１８Ｐｃを合わせると、支柱１２Ａ〜１２Ｌがぴったり嵌まるような空間が形成される。このため、第一パネル１４，１６と第二パネル１８，２０が支柱１２Ａ〜１２Ｌから外れにくい。なお、第一保持部１４Ｐ〜１４Ｓが支柱１２Ａ〜１２Ｌの左側面に、第二保持部１８Ｐ〜１８Ｓが支柱１２Ａ〜１２Ｌの右側面にそれぞれ装着されていてもよい。
【００１９】
端支柱１２Ｍの側面には、第一保持部１４Ｐ，１６Ｐが装着されており、第二保持部１８Ｐ〜１８Ｓ，２０Ｐ，２０Ｑが装着されていない。端部カバー２２は、第一本体部１４Ａ，１６Ａの端面と、第二本体部１８Ａ，２０Ａの端面と、端支柱１２Ｍの側面のうち第一保持部１４Ｐ，１６Ｐが装着されていない部分の少なくとも一部を覆っている。本実施形態では、端部カバー２２は、第一本体部１４Ａおよび第二本体部１８Ａの左端面、または第一本体部１６Ａおよび第二本体部２０Ａの左端面と、端支柱１２Ｍの左側面の一部に接着されている。
【００２０】
同様に、端支柱１２Ｎの側面には、第二保持部１８Ｓ，２０Ｑが装着されており、第一保持部１４Ｐ〜１４Ｓ，１６Ｐ，１６Ｑが装着されていない。端部カバー２４は、第一本体部１４Ａ，１６Ａの端面と、第二本体部１８Ａ，２０Ａの端面と、端支柱１２Ｍの側面のうち、第二保持部１８Ｓ，２０Ｑが装着されていない部分の少なくとも一部を覆っている。本実施形態では、端部カバー２４は、第一本体部１４Ａおよび第二本体部１８Ａの右端面、または第一本体部１６Ａおよび第二本体部２０Ａの右端面と、端支柱１２Ｎの右側面の一部に接着されている。
【００２１】
端部カバー２２，２４によって、端支柱１２Ｍ，１２Ｎの側面を覆い、フェンス１０の美観を向上させている。また、端部カバー２２によって、第二本体部１８Ａ，２０Ａが左方向に移動するのを、つまりフェンス１０が倒壊するのを抑えている。同様に、端部カバー２４によって、第一本体部１４Ａ，１６Ａが右方向に移動するのを、つまりフェンス１０が倒壊するのを抑えている。
【００２２】
図３から図６は、フェンス１０の作製過程を示している。フェンス１０は、例えば以下のようにして作製される。まず、フェンス１０の設置場所の地中を掘り、基礎ユニット２８の下部を埋設する。基礎ユニット２８は、支柱台３０Ｍ，３０Ａ，３０Ｂ，３０Ｃ，３０Ｄ，３０Ｅ，３０Ｆ，３０Ｇ，３０Ｈ，３０Ｊ，３０Ｋ，３０Ｌ，３０Ｎ（以下、「支柱台３０Ｍ，３０Ａ〜３０Ｌ，３０Ｎ」と記載することがある）と、４枚以上の板状部材３２，３４，３６，３８，４０，４２を備えている。支柱台３０Ｍ，３０Ａ〜３０Ｌ，３０Ｎには、端支柱１２Ｍ、支柱１２Ａ〜１２Ｌ、および端支柱１２Ｎの下部がそれぞれ装着される。本実施形態では、支柱台３０Ｍ，３０Ａ〜３０Ｌ，３０Ｎの上面に穴が設けられており、これらの穴に端支柱１２Ｍ、支柱１２Ａ〜１２Ｌ、および端支柱１２Ｎが挿入され、接着固定される。
【００２３】
板状部材３２，３４および板状部材３８，４０は、上下方向にそれぞれ隙間Ｇが形成されるように支柱台３０Ｍ，３０Ａ〜３０Ｌ，３０Ｎを前後で挟んでいる。板状部材３６，４２は板状部材３４，４０の上にそれぞれ設けられている。板状部材３４，３６の間および板状部材４０，４２の間は、他の隙間が形成されていてもよいし、隙間が形成されていなくてもよい。
【００２４】
つぎに、板状部材３２，３４，３６と、板状部材３８，４０，４２と、隣接する二つの支柱台、例えば支柱台３０Ｍ，３０Ａとで囲まれる空間にコンクリートＣを打設する。これによって、板状部材３２，３４および板状部材３８，４０の隙間ＧからコンクリートＣが流出して、基礎ユニット２８の下部が地中で強く固着される。そして、図３に示すように、端支柱１２Ｍを支柱台３０Ｍに、支柱１２Ａ〜１２Ｌをそれぞれ支柱台３０Ａ〜３０Ｌに、端支柱１２Ｎを支柱台３０Ｎに装着する。
【００２５】
その後、図４に示すように、基礎ユニット２８の上に第一パネル１４を設置する。具体的な設置方法は以下のとおりである。まず、第一保持部１４Ｐ〜１４Ｓが端支柱１２Ｍおよび支柱１２Ａ，１２Ｂ，１２Ｃのそれぞれの右方に来るように第一パネル１４を配置する。つぎに、第一パネル１４を左に移動して、端支柱１２Ｍの右側面に第一保持部１４Ｐの凹部１４Ｐｃを、支柱１２Ａの右側面に第一保持部１４Ｑの凹部１４Ｑｃを、支柱１２Ｂの右側面に第一保持部１４Ｒの凹部１４Ｒｃを、支柱１２Ｃの右側面に第一保持部１４Ｒの凹部１４Ｒｃをそれぞれ装着する。そして、同様にして、基礎ユニット２８の上に設置した第一パネル１４の右方から他の第一パネル１４を装着する。これを繰り返して、基礎ユニット２８の上で、端支柱１２Ｍと支柱１２Ａ〜１２Ｌに三つの第一パネル１４を装着する。
【００２６】
つぎに、向きが反対となるが第一パネル１４の設置と同様にして、図５に示すように、基礎ユニット２８の上に第二パネル１８を設置する。具体的な設置方法は以下のとおりである。まず、第二保持部１８Ｐ〜１８Ｓが支柱１２Ｊ，１２Ｋ，１２Ｌと端支柱１２Ｎ（図１参照）のそれぞれの左方に来るように第二パネル１８を配置する。つぎに、第二パネル１８を右に移動して、支柱１２Ｊ，１２Ｋ，１２Ｌおよび端支柱１２Ｎの左側面に、第二保持部１８Ｐ，１８Ｑ，１８Ｒ，１８Ｓをそれぞれ装着する。そして、基礎ユニット２８の上に設置した第二パネル１８の左方から、同様の手順で他の第二パネル１８を装着する。これを繰り返して、基礎ユニット２８の上で、支柱１２Ａ〜１２Ｌと端支柱１２Ｎに三つの第二パネル１８を装着する。
【００２７】
つぎに、図１、図２、および図６に示すように、基礎ユニット２８の上に設置された三つの第一パネル１４と三つの第二パネル１８の上に、二つの第一パネル１６と二つの第二パネル２０を両端に、二つの第一パネル１４と二つの第二パネル２０をその間に、上記と同様の方法でさらに設置する。これを繰り返して第一パネル１４，１６と第二パネル１８，２０を積み上げていく。そして、図６に示すように、端部カバー２２，２４を上記の所定の位置に、上部カバー２６を第一パネル１４，１６と第二パネル１８，２０の上にそれぞれ設置してフェンス１０を作製する。本実施形態では、上部カバー２６は、第一パネル１４，１６および第二パネル１８，２０の上面に接着固定される。
【００２８】
このように、本発明のフェンスは容易に組み立てられる。なお、このフェンス１０の作製過程の説明では、第一パネル１４，１６および第二パネル１８，２０が四段積まれた例を用いたが、第一パネル１４，１６および第二パネル１８，２０の段数は特に制限がない。本実施形態では、第一本体部１４Ａ，１６Ａおよび第二本体部１８Ａ，２０Ａが発泡樹脂製で軽量なので、例えば第一本体部１４Ａ，１６Ａおよび第二本体部１８Ａ，２０Ａを六段積んで高さ２ｍ以上のフェンス１０としても、地震等による倒壊を抑えられる。
【００２９】
図７は、本発明の第二実施形態に係るフェンス７０の支柱７２付近の水平断面を示している。フェンス７０は、支柱７２と、第一パネル７４と、第二パネル７８を備えている。第一パネル７４は、第一本体部７４Ａと、第一保持部７４Ｐを備えている。第二パネル７８は、第二本体部７８Ａと、第二保持部７８Ｑを備えている。図７では、第一パネル７４が設置されている方向がフェンス７０の前方向で、第二パネル７８が設置されている方向がフェンス７０の後方向で、第一保持部７４Ｐが設置されている方向がフェンス７０の右方向で、第二保持部７８Ｑが設置されている方向がフェンス７０の左方向である。
【００３０】
図７に示すように、支柱７２の形状は、水平断面が正方形である中空四角柱である。第一保持部７４Ｐは、支柱７２の前側面７２ａの右半分、右側面７２ｂ、および後側面７２ｃの右半分を覆うように、支柱７２に装着されている。また、第二保持部７８Ｑは、支柱７２の前側面７２ａの左半分、左側面７２ｄ、および後側面７２ｃの左半分を覆うように、支柱７２に装着されている。このように、本発明では、支柱の形状が円筒以外であってもよい。
【００３１】
図８は、本発明の第三実施形態に係るフェンス８０の支柱８２付近の水平断面を示している。フェンス８０は、支柱８２と、第一パネル８４と、第二パネル８８を備えている。第一パネル８４は、第一本体部８４Ａと、第一保持部８４Ｐを備えている。第二パネル８８は、第二本体部８８Ａと、第二保持部８８Ｑを備えている。図８では、第一パネル８４が設置されている方向がフェンス８０の前方向で、第二パネル８８が設置されている方向がフェンス８０の後方向で、第一保持部８４Ｐが設置されている方向がフェンス８０の右方向で、第二保持部８８Ｑが設置されている方向がフェンス８０の左方向である。
【００３２】
図８に示すように、支柱８２の形状は、水平断面が正方形である中空四角柱である。支柱８２は、支柱７２の水平断面の中心を軸として、水平面内で支柱７２を４５°だけ右回転したような向きで配置されている。
第一保持部８４Ｐは、支柱８２の右半分の側面である右側面８２ａを覆うように、支柱８２に装着されている。また、第二保持部８８Ｑは、支柱８２の左半分の側面である左側面８２ｂを覆うように、支柱８２に装着されている。このように、本発明では、支柱の形状が同じであっても、様々な向きで支柱が配置できる。
【符号の説明】
【００３３】
１０，７０，８０    フェンス
１２Ａ〜１２Ｌ  支柱
１２Ｍ，１２Ｎ  端支柱
１４    第一パネル
１４Ａ  第一本体部
１４Ｐ〜１４Ｓ  第一保持部
１４Ｐｃ〜１４Ｓｃ  凹部
１６    第一パネル
１６Ａ  第一本体部
１６Ｐ，１６Ｑ  第一保持部
１８    第二パネル
１８Ａ  第二本体部
１８Ｐ〜１８Ｓ  第二保持部
１８Ｐｃ〜１８Ｓｃ  凹部
２０    第二パネル
２０Ａ  第二本体部
２０Ｐ，２０Ｑ  第二保持部
２２，２４  端部カバー
２６    上部カバー
２８    基礎ユニット
３０Ｍ，３０Ａ〜３０Ｌ，３０Ｎ  支柱台
３２，３４，３６，３８，４０，４２    板状部材
７２    支柱
７２ａ  前側面
７２ｂ  右側面
７２ｃ  後側面
７２ｄ  左側面
７４    第一パネル
７４Ａ  第一本体部
７４Ｐ  第一保持部
７８    第二パネル
７８Ａ  第二本体部
７８Ｑ  第二保持部
８２    支柱
８２ａ  右側面
８２ｂ  左側面
８４    第一パネル
８４Ａ  第一本体部
８４Ｐ  第一保持部
８８    第二パネル
８８Ａ  第二本体部
８８Ｑ  第二保持部
Ｃ      コンクリート
Ｇ      隙間
【図１】
2020029648.tif 000003
【図２】
2020029648.tif 000004
【図３】
2020029648.tif 000005
【図４】
2020029648.tif 000006
【図５】
2020029648.tif 000007
【図６】
2020029648.tif 000008
【図７】
2020029648.tif 000009
【図８】
2020029648.tif 000010